(57)【特許請求の範囲】
【請求項１】
ケースの壁部を貫通して開口された水抜穴と、前記ケースの外方から前記水抜穴を覆う遮蔽壁を備え、該遮蔽壁が前記水抜穴の周囲から前記ケースの外方に向かって突出する支持部によって前記水抜穴から離隔して支持されることにより、前記水抜穴と前記遮蔽壁の隙間に側方開口部が形成されている電気接続箱において、
前記水抜穴と前記遮蔽壁が互いに矩形状とされていると共に、該遮蔽壁が前記水抜穴の全体を覆い得る大きさとされており、
前記水抜穴の開口周縁部の４隅の外側にそれぞれ４つの前記支持部が、前記開口周縁部の各辺よりも短い長さ寸法で配設されており、前記支持部の前記水抜穴側の端部が前記遮蔽壁の外周縁部に連結されることにより、前記支持部によって前記遮蔽壁が支持されると共に、前記側方開口部が、前記水抜穴の開口周縁部の周方向で相互に隣接する前記支持部間において、前記開口周縁部の４辺全てに形成されている
ことを特徴とする電気接続箱。
【請求項２】
前記水抜穴の前記開口周縁部の各辺には、各前記支持部が一方の端部から他方の端部に向かって所定長さで広がるように設けられている一方、前記支持部間の周方向離隔距離が何れも同一とされている
請求項１に記載の電気接続箱。
【請求項３】
前記遮蔽壁が前記水抜穴と互いに等しい矩形状とされていると共に、前記遮蔽壁の外周縁部の４辺の全てに前記支持部が１つずつ連結されている
請求項２に記載の電気接続箱。
【請求項４】
前記ケースの壁部には前記水抜穴を囲んで前記ケースの外方に突出する周壁が形成されており、前記支持部が前記周壁と連結されている
請求項１〜３の何れか１項に記載の電気接続箱。
【請求項５】
ケースの壁部を貫通して開口された水抜穴と、前記ケースの外方から前記水抜穴を覆う遮蔽壁を備え、該遮蔽壁が前記水抜穴の周囲から前記ケースの外方に向かって突出する支持部によって前記水抜穴から離隔して支持されることにより、前記水抜穴と前記遮蔽壁の隙間に側方開口部が形成されている電気接続箱において、
前記水抜穴と前記遮蔽壁が互いに矩形状とされていると共に、該遮蔽壁が前記水抜穴の全体を覆い得る大きさとされており、前記水抜穴の開口周縁部の４隅の外側にそれぞれ配設された４つの前記支持部により前記遮蔽壁が支持されると共に、前記側方開口部が、前記水抜穴の開口周縁部の４辺全てに形成されており、
前記ケースの壁部には前記水抜穴を囲んで前記ケースの外方に突出する周壁が形成されており、前記支持部が前記周壁と連結されている一方、
前記周壁が前記遮蔽壁よりも前記ケースの外方に突出されている
ことを特徴とする電気接続箱。
【発明の詳細な説明】
【技術分野】
【０００１】
本発明は、自動車等に搭載される電気接続箱に係り、特に、ケース内部に浸入した水を排出する水抜穴が設けられた電気接続箱に関するものである。
【背景技術】
【０００２】
自動車のエンジンルーム等には、バッテリーからの電源を各種電装品に分岐配電するために、リレーボックス、ヒューズボックス等の電気接続箱が搭載されている。この電気接続箱は、ケースの内部にリレーやヒューズ等の電気部品やプリント基板等の通電回路が収容された構造とされていることから、ケース内部に水が浸入した場合には、漏電や短絡の問題を生じるおそれがある。このような問題を回避するために、ケースの底壁部に水抜穴を設けて、ケース内部に浸入した水を速やかに排出できるようにした電気接続箱が、従来から広く用いられている。
【０００３】
ところで、このような水抜穴を備えた電気接続箱においては、雨中走行時や洗車時等に跳ね上げられた水が、電気接続箱の底壁部の水抜穴から、逆に電気接続箱の内部に浸入するおそれがあった。そこで、特開平１１−２６６５１６号公報（特許文献１）には、ケースの底壁部に貫設された水抜穴をケース外方から覆う遮蔽壁を設け、この遮蔽壁を水抜穴の周囲からケース外方に向かって突出する壁状の支持部により水抜穴の外方に離隔して支持した構造が提案されている。このような構造によれば、ケース内部に浸入した水は、支持部が設けられていない水抜穴と遮蔽壁との隙間で構成された側方開口部から速やかに排水することが出来ると共に、電気接続箱の下方からの水抜穴への水の浸入は遮蔽壁で阻止することが出来る。
【０００４】
しかし、特許文献１に記載の構造では、矩形状とされた水抜穴において、一対の対辺のみに側方開口部が設けられていることから、２方向にしか排水することが出来ず、車両の傾斜方向によっては、排水性能が低下するおそれがあった。なお、特許文献１の図１２や図１３には、側方開口部が水抜穴の４辺全てに形成された構造も開示されているが、これらの構造では、遮蔽壁が水抜穴の全体を覆っておらず、水抜穴がケースの外方に開口されていることから、水抜穴からの浸水の防止効果が低減するおそれがあった。
【先行技術文献】
【特許文献】
【０００５】
【特許文献１】特開平１１−２６６５１６号公報
【発明の概要】
【発明が解決しようとする課題】
【０００６】
本発明は、上述の事情を背景に為されたものであって、その解決課題は、水抜穴からの浸水の防止効果を確保しつつ、より優れた排水性能を発揮することの出来る、新規な構造の電気接続箱を提供することにある。
【課題を解決するための手段】
【０００７】
本発明の第一の態様は、ケースの壁部を貫通して開口された水抜穴と、前記ケースの外方から前記水抜穴を覆う遮蔽壁を備え、該遮蔽壁が前記水抜穴の周囲から前記ケースの外方に向かって突出する支持部によって前記水抜穴から離隔して支持されることにより、前記水抜穴と前記遮蔽壁の隙間に側方開口部が形成されている電気接続箱において、前記水抜穴と前記遮蔽壁が互いに矩形状とされていると共に、該遮蔽壁が前記水抜穴の全体を覆い得る大きさとされており、前記水抜穴の開口周縁部の４隅の外側にそれぞれ４つの前記支持部が、前記開口周縁部の各辺よりも短い長さ寸法で配設されており、前記支持部の前記水抜穴側の端部が前記遮蔽壁の外周縁部に連結されることにより、前記支持部によって前記遮蔽壁が支持されると共に、前記側方開口部が、前記水抜穴の開口周縁部の周方向で相互に隣接する前記支持部間において、前記開口周縁部の４辺全てに形成されていることを、特徴とする。
【０００８】
本発明においては、水抜穴を覆う遮蔽壁が、水抜穴の開口周縁部の４隅に配設された支持部で支持されている。これにより、水抜穴と遮蔽壁の隙間で形成される側方開口部が、水抜穴の開口周縁部の４辺全てに形成されており、水抜穴を４方の全周に開口することが出来る。その結果、何れの方向からも排水を行なうことが可能となり、優れた排水性能を発揮することが出来る。また、遮蔽壁を支持する支持部が、水抜穴の開口周縁部の外側に形成されていることから、水抜穴の開口面積を確保することが出来て、排水性能を有利に確保することが出来る。
【０００９】
そして、遮蔽壁が水抜穴の全体を覆い得る大きさとされている。これにより、水抜穴がケースの外方に直接に開口されることが回避されている。その結果、ケースの外方から水抜穴に水が浸入することを効果的に阻止することが出来る。また、水抜穴の開口周縁部の４隅に形成された支持部で遮蔽壁を支持することにより、遮蔽壁をバランス良く、安定的に支持することが出来る。
【００１０】
本発明の第二の態様は、前記第一の態様に記載のものにおいて、前記水抜穴の前記開口周縁部の各辺には、各前記支持部が一方の端部から他方の端部に向かって所定長さで広がるように設けられている一方、前記支持部間の周方向離隔距離が何れも同一とされているものである。
【００１１】
本態様においては、水抜穴の各辺の一端部に支持部が設けられて、水抜穴の外方に所定長さで広がるように配設されていると共に、水抜穴の開口周縁部の周方向で等間隔に配設されている。即ち、水抜穴の開口周縁部に卍型に支持部を配設することにより、水抜穴の開口部分の強度がバランス良く補強されると共に、水抜穴の４辺に開口する４つの側方開口部の開口面積を同一として、全方向に均一な排水性能を安定して発揮することが出来る。
【００１２】
本発明の第三の態様は、前記第二の態様に記載のものにおいて、前記遮蔽壁が前記水抜穴と互いに等しい矩形状とされていると共に、前記遮蔽壁の外周縁部の４辺の全てに前記支持部が１つずつ連結されているものである。
【００１３】
本態様によれば、遮蔽壁と水抜穴を同一の矩形状で形成し、それぞれの４隅を支持部で連結することにより、最小面積の遮蔽壁を用いて、水抜穴の全体を覆うことが出来る。しかも、４方向への均一な排水性能や、遮蔽壁の優れた支持バランスも同時に達成することが出来る。
【００１４】
本発明の第四の態様は、前記第一〜第三の何れか１つの態様に記載のものにおいて、前記ケースの壁部には前記水抜穴を囲んで前記ケースの外方に突出する周壁が形成されており、前記支持部が前記周壁と連結されているものである。
【００１５】
本態様においては、水抜穴の周囲が周壁で囲まれており、水抜穴から外方の４方に開口された側方開口部の前方に、周壁が配設されている。これにより、ケースの外側から側方開口部に水が浸入することを周壁で有効に阻止することが出来る。
【００１６】
そして、支持部が周壁と連結されていることにより、支持部の強度を確保することが出来る。これにより、支持部が水抜穴の開口周縁部の４隅のみに形成されて、開口周縁部の周方向での寸法が小さい場合でも支持部の強度を確保することが出来て、遮蔽壁の支持強度を確保することが出来る。
【００１７】
本発明の第五の態様は、ケースの壁部を貫通して開口された水抜穴と、前記ケースの外方から前記水抜穴を覆う遮蔽壁を備え、該遮蔽壁が前記水抜穴の周囲から前記ケースの外方に向かって突出する支持部によって前記水抜穴から離隔して支持されることにより、前記水抜穴と前記遮蔽壁の隙間に側方開口部が形成されている電気接続箱において、前記水抜穴と前記遮蔽壁が互いに矩形状とされていると共に、該遮蔽壁が前記水抜穴の全体を覆い得る大きさとされており、前記水抜穴の開口周縁部の４隅の外側にそれぞれ配設された４つの前記支持部により前記遮蔽壁が支持されると共に、前記側方開口部が、前記水抜穴の開口周縁部の４辺全てに形成されており、前記ケースの壁部には前記水抜穴を囲んで前記ケースの外方に突出する周壁が形成されており、前記支持部が前記周壁と連結されている一方、前記周壁が前記遮蔽壁よりも前記ケースの外方に突出されていることを、特徴とする。このようにすれば、電気接続箱の輸送時や車両への組み付け時において、他部材の衝突等から遮蔽壁を保護することが出来る。また、周壁の突出寸法をより大きく確保することによって、側方開口部への水の浸入をより有効に阻止することが出来る。
【発明の効果】
【００１８】
本発明においては、水抜穴の全体を覆い得る遮蔽壁を、水抜穴の開口周縁部の４隅の外側に配設した支持部で支持することにより、水抜穴の開口周縁部の４辺の全てに、ケース内の水を排出する側方開口部を設けた。これにより、４方向の何れの方向からでも排水を行なうことが出来て、優れた排水性能を発揮することが出来る。そして、遮蔽壁が水抜穴の全体を覆い得る大きさとされていることにより、ケースの外部から水抜穴を通じて水が浸入することを防止できると共に、遮蔽壁の４隅を支持部で支持することによって、遮蔽壁を安定的に支持することが出来る。
【図面の簡単な説明】
【００１９】
【図１】本発明の第一の実施形態としての電気接続箱の斜視図。
【図２】図１に示した電気接続箱の要部の斜視図。
【図３】図２に示した要部の平面図。
【図４】図３におけるＩＶ−ＩＶ断面図。
【図５】図３におけるＶ−Ｖ断面図。
【図６】本発明の第二の実施形態としての電気接続箱の要部の平面図。
【発明を実施するための形態】
【００２０】
以下、本発明の実施形態について、図面を参照しつつ説明する。
【００２１】
先ず、図１に、本発明の第一の実施形態としての電気接続箱１０を示す。電気接続箱１０は、本体ケース１２に、アッパケース１４とロアケース１６が組み付けられた構造とされている。これら本体ケース１２、アッパケース１４、ロアケース１６は、それぞれ、合成樹脂から形成された一体成形品とされている。そして、本体ケース１２の一方からアッパケース１４が被せられて図示しないロック部で固定されると共に、本体ケース１２の他方からロアケース１６が被せられてロック部１８で固定されることにより、電気接続箱１０の箱体が形成されるようになっており、これら本体ケース１２、アッパケース１４、ロアケース１６を含んで、電気接続箱１０のケースが構成されている。このような電気接続箱１０は、自動車のエンジンルーム内に組み付けられる。そして、車両への組付状態で、ロアケース１６が、鉛直下方に配設されるようになっている。なお、図１および後述する図２においては、上下方向を反対に図示しており、車両への配設状態で鉛直下方に配設されるロアケース１６を、図中の上方に示している。
【００２２】
図２〜図５に示すように、ロアケース１６の壁部を構成する下壁２０において、車両への組付状態で最も鉛直下方に位置する部位には、排水部２２が形成されている。排水部２２は、下壁２０を貫通する水抜穴２４と、水抜穴２４を覆う遮蔽壁２６を含んで構成されている。水抜穴２４は、下壁２０を貫通してロアケース１６の外方に開口する矩形状とされており、本実施形態においては、開口周縁部２８の４辺２８ａ〜２８ｄの長さ寸法が何れも等しい正方形状とされている。
【００２３】
さらに、下壁２０には、水抜穴２４の外周を全周に亘って囲む周壁３０が一体形成されている。周壁３０は、水抜穴２４よりも大きな正方形状とされており、下壁２０に対して垂直で、所定の突出高さ寸法をもってロアケース１６の外方（図４および図５中、下方）に突出されている。なお、周壁３０の下壁２０からの突出先端部の断面形状は略半円形とされて、他部材との衝突等に対する強度が確保されている。
【００２４】
一方、遮蔽壁２６は、水抜穴２４の全体を覆い得る大きさの矩形板形状とされており、本実施形態においては、水抜穴２４と互いに等しい正方形の平板形状とされている。これにより、遮蔽壁２６の外周縁部３２の４辺３２ａ〜３２ｄの長さ寸法は、水抜穴２４の開口周縁部２８の４辺２８ａ〜２８ｄと互いに等しくされている。
【００２５】
遮蔽壁２６は、４つの支持部３４ａ〜３４ｄで支持されて、水抜穴２４の外側に配設されている。これら４つの支持部３４ａ〜３４ｄは、下壁２０から一定の矩形断面をもってロアケース１６の外方に突出する板形状とされており、水抜穴２４の開口周縁部２８の４隅の外側に配設されている。特に本実施形態においては、開口周縁部２８の４辺２８ａ〜２８ｄのそれぞれに、支持部３４ａ〜３４ｄが１つずつ配設されており、支持部３４ａ〜３４ｄの一方の端部３６ａが、各辺２８ａ〜２８ｄそれぞれの一方の端部に接続されている。そして、支持部３４ａ〜３４ｄは、平面視（図３参照）において、開口周縁部２８の各辺２８ａ〜２８ｄに接続された一方の端部３６ａから他方の端部３６ｂに向けて、それぞれの辺２８ａ〜２８ｄに直交する方向で水抜穴２４の外方に向けて所定長さで延出して広がるように形成されている。これにより、４つの支持部３４ａ〜３４ｄは、水抜穴２４の開口周縁部２８の矩形とされた周方向で等間隔：Ｄを隔てて、卍状に配設されている。
【００２６】
そして、支持部３４ａ〜３４ｄにおいて下壁２０からの突出先端部が、遮蔽壁２６の外周縁部３２に連結されている。遮蔽壁２６は、平面視（図３参照）において、水抜穴２４と重なるように配設されている。即ち、支持部３４ａ〜３４ｄは、遮蔽壁２６の四隅の外側に位置されており、遮蔽壁２６の外周縁部３２に連結されている。特に本実施形態においては、遮蔽壁２６の外周縁部３２の４辺３２ａ〜３２ｄの全てに支持部３４ａ〜３４ｄが一つずつ連結されており、各支持部３４ａ〜３４ｄの一方の端部３６ａが、外周縁部３２の４辺３２ａ〜３２ｄのそれぞれの一方の端部に連結されている。これにより、支持部３４ａ〜３４ｄは、前記水抜穴２４におけると同様に、遮蔽壁２６の外周縁部３２の矩形の周方向で、等間隔：Ｄを隔てて卍状に配設されている。
【００２７】
さらに、支持部３４ａ〜３４ｄは、それぞれ、遮蔽壁２６の外周縁部３２に連結された一方の端部３６ａから他方の端部３６ｂに向けて、一方の端部３６ａが連結された外周縁部３２の各辺３２ａ〜３２ｄに直交して、遮蔽壁２６の外側に広がるように延出されている。そして、他方の端部３６ｂが、周壁３０に連結されている。図５から明らかなように、支持部３４ａ〜３４ｄは、下壁２０からの突出方向（図５中、上方から下方）の全長に亘って、周壁３０に連結されている。なお、支持部３４ａ〜３４ｄの下壁２０からの突出寸法は、周壁３０の下壁２０からの突出寸法よりも小さくされている。これにより、周壁３０が、遮蔽壁２６よりもロアケース１６の外方（図５中、下方）に突出されている。
【００２８】
これら支持部３４ａ〜３４ｄで支持されることによって、遮蔽壁２６が、水抜穴２４の外側に隙間を隔てて配設されており、遮蔽壁２６によって、水抜穴２４の全体が覆われている。そして、互いに対向位置された水抜穴２４の開口周縁部２８ａ〜２８ｄと遮蔽壁２６の外周縁部３２ａ〜３２ｄの隙間によって、ロアケース１６を内外に貫通する側方開口部３８ａ〜３８ｄがそれぞれ形成されている。側方開口部３８ａ〜３８ｄは、水抜穴２４の開口方向（図４および図５中、上方から下方）に直交して開口する長手矩形状とされており、その長手方向寸法が、水抜穴２４の開口周縁部２８の周方向で、支持部３４ａ〜３４ｄの配設間隔である距離：Ｄに設定されている。これにより、水抜穴２４の開口周縁部２８には、４辺２８ａ〜２８ｄの全てに側方開口部３８ａ〜３８ｄが設けられており、水抜穴２４は、これら４つの側方開口部３８ａ〜３８ｄを通じて、開口方向（図４および図５中、上方から下方）に直交する方向で、周方向の４方向（図３中、上下左右方向）の全てに開口されている。
【００２９】
このような構造とされた電気接続箱１０は、ロアケース１６の下壁２０を鉛直下方に位置して、自動車のエンジンルーム等に配設される。そして、雨天時や洗車時に電気接続箱１０内に侵入した水が、水抜穴２４から側方開口部３８ａ〜３８ｄを通じて外部に排出されるようになっている。
【００３０】
そして、本実施形態においては、水抜穴２４の開口周縁部２８の４辺全てに側方開口部３８ａ〜３８ｄが設けられている。従って、車両が何れの向きに傾斜した場合でも、側方開口部３８ａ〜３８ｄの何れかから排水することが出来る。これにより、優れた排水性能を得ることが出来る。更に、従来の２方向のみに排水可能な排水部で４方向の排水を可能にしようとした場合には、排水方向を互いに直交させて排水部を２つ設ける必要があるのに対して、本発明によれば、１つの排水部２２で４方向の排水を行なうことが可能であり、配設スペースの向上を図ることも出来る。
【００３１】
また、遮蔽壁２６を支持する支持部３４ａ〜３４ｄが、水抜穴２４の開口周縁部２８の外側に設けられている。これにより、支持部３４ａ〜３４ｄが水抜穴２４の内方に入り込んで水抜穴２４の開口寸法を狭めることが無く、水抜穴２４を矩形状に形成して開口面積を有効に確保することが出来、優れた排水性能を得ることが出来る。特に本実施形態においては、支持部３４ａ〜３４ｄを卍形状に配設したことにより、４つの側方開口部３８ａ〜３８ｄの開口面積が何れも等しくされており、車両が何れの方向に傾斜した場合でも、均一な排水性能を安定して発揮することが出来る。
【００３２】
更にまた、遮蔽壁２６が、水抜穴２４と同形状とされている。これにより、水抜穴２４の全体が遮蔽壁２６で覆われて、開口方向に直交する側方のみに開口されていることから、水抜穴２４から水が浸入するおそれを軽減することが出来る。更に、側方開口部３８ａ〜３８ｄそれぞれの開口方向（図３中、上下左右方向）の前方に周壁３０が突設されていることから、側方開口部３８ａ〜３８ｄへの水の浸入も効果的に抑制することが出来る。
【００３３】
そして、遮蔽壁２６を支持する支持部３４ａ〜３４ｄが、周壁３０にそれぞれ連結されている。これにより、支持部３４ａ〜３４ｄの開口周縁部２８の周方向での寸法が小さい場合でも、支持部３４ａ〜３４ｄの強度を確保することが出来る。その結果、遮蔽壁２６の支持強度を有効に確保することが出来て、他部材の衝突等による遮蔽壁２６の損傷を防止することが出来る。特に、支持部３４ａ〜３４ｄを卍状に、遮蔽壁２６の外周縁部３２の周方向で等間隔に配設したことから、遮蔽壁２６をバランス良く強固に支持することが出来る。更に、周壁３０のロアケース１６からの突出寸法を遮蔽壁２６よりも大きくしたことにより、周壁３０によって、遮蔽壁２６を他部材の衝突等から保護することが出来る。また、側方開口部３８ａ〜３８ｄへの水の浸入も、より効果的に防止することが出来る。
【００３４】
次に、図６に、本発明の第二の実施形態としての電気接続箱の要部を示す。なお、本実施形態の電気接続箱は、前記第一の実施形態に比して、排水部４０の形状が異ならされたのみであることから、以下の説明において、前記第一の実施形態と同様の構造とされた部位には、図中に前記第一の実施形態と同一の符号を付することにより、その説明を省略する。
【００３５】
本実施形態における排水部４０には、水抜穴２４の開口周縁部２８の４辺２８ａ〜２８ｄにおいて、互いに対向位置された一対の辺２８ａ，２８ｃのそれぞれに、一対の支持部３４ａ，３４ｄおよび支持部３４ｂ，３４ｃが連結されている。支持部３４ａ，３４ｄは、水抜穴２４の開口周縁部２８の２つの隅部に位置する、開口周縁部２８ａの両端部の外側に連結されている一方、支持部３４ｂ，３４ｃは、開口周縁部２８の残りの２つの隅部に位置する、開口周縁部２８ｄの両端部の外側に連結されている。これに対応して、支持部３４ａ，３４ｄは、遮蔽壁２６の外周縁部３２ａの両端部に連結されている一方、支持部３４ｂ，３４ｃは、遮蔽壁２６の外周縁部３２ｂの両端部に連結されている。これにより、排水部４０は、遮蔽壁２６と支持部３４ａ〜３４ｄによって、正面視（図６参照）においてＨ字形状とされている。
【００３６】
本実施形態から明らかなように、支持部３４ａ〜３４ｄは、水抜穴２４の開口周縁部２８の４辺２８ａ〜２８ｂの全てに一つずつ連結されている必要は無く、開口周縁部２８の周方向で、間隔を異ならせて設けられていても良い。本実施形態によれば、支持部３４ａ〜３４ｄが連結されていない、水抜穴２４の開口周縁部２８ｂ，２８ｄと遮蔽壁２６の外周縁部３２ｂ，３２ｄとの隙間に形成された側方開口部３８ｂ，３８ｄの開口寸法：Ｄ１を、側方開口部３８ａ，３８ｂの開口寸法：Ｄ２よりも大きくすることが出来る。これにより、電気接続箱の傾斜方向が予想される場合等に、特定方向の排水性能をより高く設定することが出来る。
【００３７】
以上、本発明の実施形態について詳述したが、本発明はその具体的な記載によって限定されない。例えば、水抜穴の開口形状は、長方形形状等でも良い。また、遮蔽壁を水抜穴よりも大きく形成して、支持部を遮蔽壁における水抜穴との対向面に連結する等しても良い。
【００３８】
また、周壁は必ずしも必要ではないが、支持部を周壁に部分的に連結しても良いし、複数の支持部の内の幾つかのみを周壁に連結しても良い。更に、周壁のケース外方への突出寸法は、遮蔽壁のケース外方への突出寸法と等しくされていても良い。
【００３９】
更にまた、水抜穴を電気接続箱の複数箇所に設けることも勿論可能であるし、電気接続箱の配設状態や、想定される車両の傾斜状態等を考慮して、電気接続箱の側面に水抜穴を形成する等しても良い。
【符号の説明】
【００４０】
１０：電気接続箱、１６：ロアケース（ケース）、２０：下壁（ケースの壁部）、２２，４０：排水部、２４：水抜穴、２６：遮蔽壁、２８ａ〜ｄ：開口周縁部（水抜穴）、３０：周壁、３２ａ〜ｄ：外周縁部（遮蔽壁）、３４ａ〜ｄ：支持部、３６ａ，ｂ：端部（支持部）、３８ａ〜ｄ：側方開口部
【図１】
0005811464.tif 000002
【図２】
0005811464.tif 000003
【図３】
0005811464.tif 000004
【図４】
0005811464.tif 000005
【図５】
0005811464.tif 000006
【図６】
0005811464.tif 000007